(57)【要約】      （修正有）【課題】建設現場や事故現場とのマルチメディア・データのやり取りではデータの品質よりも速報性のための高可搬性を高めるために、非可逆的なデータ劣化手段を取り込むことが必要とされている。また、音楽付きの動画や静止画、音声や手書き線画によるブログの実現が待たれている。したがって、マルチメディア・データをオブジェクト化されたメタ・データとしての作成、保存、発信、受信、履歴記録を一元的に、専門的な知識やテクニックを使用することなしに簡易に行うことが可能な手段を提供する。【解決手段】マルチメディア・データをユニークな識別記号である主体データに付加された属性メタ・データとして取り扱い、前記主体データには、他に一個以上の属性データを付加してオブジェクト化する。前記属性データには、前記主体データが所属する上位レベルの集合体のユニークな識別記号である主体データも含まれる。【選択図】図１
2008077617.tif 000002
【特許請求の範囲】
【請求項１】
一個以上の計算機上に配置された、
外部からのデータを入力するための一個以上のデータ入力装置と、
前記入力されたデータを必要に応じて特定のデータ・フォーマット若しくはデータ形式に変換するデータ・フォーマット変換装置と、
前記入力若しくは必要に応じてフォーマット変換されたデータにユニークな識別記号を付けてオブジェクト化するデータ・オブジェクト化装置と、
前記オブジェクト化されたデータ・オブジェクトに一個以上のオブジェクト化された別のデータ・オブジェクトもしくは、当該データ・オブジェクトそれ自体を再帰的に関連付ける属性オブジェクト付加装置と、
前記属性オブジェクトが付加されたデータ・オブジェクトを前記計算機の主記憶装置上に展開して配置するデータ・オブジェクト展開装置と、
前記主記憶上に展開されたデータ・オブジェクトを外部へ出力するための一個以上のデータ・オブジェクト出力装置と、
を備えるマルチ・ディメンション・メタ・データ管理システムであって、
前記データ・フォーマット変換装置は、
前記入力されたデータの一部ないし全部の情報を前記データ・フォーマット変換装置に取り込むフォーマット変換対象データ入力部と、
前記データ・フォーマット変換装置に変換緒元を入力するデータ・フォーマット変換緒元入力部と、
前記データ・フォーマット変換緒元に基づいてデータ・フォーマット変換を制御するデータ・フォーマット変換制御部と、
前記データ・フォーマット変換制御部の制御下のもと、実際にデータ・フォーマット変換を行うデータ・フォーマット変換実行部と、
前記データ・フォーマット変換実行部によって変換されたデータを出力するためのデータ・フォーマット変換済データ出力部と、
を有し、
前記データ・オブジェクト化装置は、
前記入力されたデータ若しくは前記データ・フォーマット変換されたデータに付加されるユニークな識別記号を発生する識別記号発生部と、
前記入力されたデータ若しくは前記データ・フォーマット変換されたデータに付加される識別記号を登録する主体データ識別記号登録部と、
前記入力されたデータ若しくは前記データ・フォーマット変換されたデータの一個以上の前記属性オブジェクトのユニークな識別記号を登録する属性オブジェクト識別記号登録部と、
を有し、
前記オブジェクト付加装置は、前記データ・オブジェクト化装置の主体データ識別記号登録部と一個以上の属性オブジェクト識別記号登録部を継承すること、
を有し、
前記データ・オブジェクト展開装置は、
前記オブジェクト化されたデータを、その属性オブジェクトの持つ全部若しくは一部の情報とともに主記憶装置上に展開する個別データ・オブジェクト展開部と、
個別の前記属性オブジェクトを個別のデータ・オブジェクトとみなした時のこのデータ・オブジェクトの前記属性オブジェクトの関係を再帰的にツリー状に展開するデータ・オブジェクト関係展開部と、
を有し、
前記データ・オブジェクト出力装置は、
前記データ・オブジェクト展開されたオブジェクト群の全部若しくは一部を出力する外部周辺装置を特定する外部周辺装置特定部と、
前記データ・オブジェクト展開されたオブジェクト群の全部若しくは一部を外部周辺装置特定部で特定された前記外部周辺装置に出力するためのデータ・フォーマット変換を行う出力データ・フォーマット変換部と、
前記出力データ・フォーマット変換された出力データを送出する出力データ送出部と、  を有する、
マルチ・ディメンション・メタ・データ管理システム。
【請求項２】
当該前記属性オブジェクト付加装置それ自体が再帰的に当該前記属性オブジェクト付加装置の属性オブジェクトになること、
が可能であることを要件とする、請求項１に記載のマルチ・ディメンション・メタ・データ管理システム。
【請求項３】
当該前記属性オブジェクト付加装置それ自体を属性として代を遡って再帰的に継承する前記属性オブジェクト付加装置が当該前記属性オブジェクト付加装置の属性オブジェクトになること、
が可能であることを要件とする、請求項１または請求項２に記載のマルチ・ディメンション・メタ・データ管理システム。
【請求項４】
それぞれがユニークな識別記号を持つ一個以上の頁属性オブジェクトを持つユニークな識別記号を持つ文書を、前記別に存在する一個以上の属性オブジェクト付加装置を頁属性オブジェクトとする前記当該属性オブジェクト付加装置として計算機の主記憶装置上に配置することが可能な請求項１または請求項２または請求項３に記載のマルチ・ディメンション・メタ・データ管理システム。
【請求項５】
それぞれがユニークな識別記号を持つ一個以上の層属性オブジェクトを持つユニークな識別記号を持つ頁を、前記別に存在する一個以上の属性オブジェクト付加装置を層属性オブジェクトとする前記当該属性オブジェクト付加装置として計算機の主記憶装置上に配置することが可能な請求項４に記載のマルチ・ディメンション・メタ・データ管理システム。
【請求項６】
それぞれがユニークな識別記号を持つ一個以上の項目属性オブジェクトを持つユニークな識別記号を持つ層を、前記別に存在する一個以上の属性オブジェクト付加装置を項目属性オブジェクトとする前記当該属性オブジェクト付加装置として計算機の主記憶装置上に配置することが可能な請求項５に記載のマルチ・ディメンション・メタ・データ管理システム。
【請求項７】
公知のデータ・フォーマット識別名若しくはデータ・フォーマットのエンコーダおよびデコーダがデータ作成元から提供されているエンコーダおよびデコーダの識別名および格納場所を入力する機能を属性データ・オブジェクトとして持つ項目の前記属性オブジェクト付加装置として計算機の主記憶装置上に配置することが可能な請求項６に記載のマルチ・ディメンション・メタ・データ管理システム。
【請求項８】
公知の静止画像データ・フォーマット識別名若しくは静止画像データ・フォーマットのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７に記載のマルチ・ディメンション・メタ・データ管理システム。
【請求項９】
公知の動画画像データ・フォーマット識別名若しくは動画画像データ・フォーマットのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７に記載のマルチ・ディメンション・メタ・データ管理システム。
【請求項１０】
公知の音声データ・フォーマット識別名若しくは音声データ・フォーマットのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７ないし請求項９に記載のマルチ・ディメンション・メタ・データ管理システム。
【請求項１１】
公知のＣＡＤデータ・フォーマット識別名若しくはＣＡＤデータ・フォーマットのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７に記載のマルチ・ディメンション・メタ・データ管理システム。
【請求項１２】
公知のポリゴン・データ・フォーマット識別名若しくはポリゴン・データ・フォーマットのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７に記載のマルチ・ディメンション・メタ・データ管理システム。
【請求項１３】
公知の文字データ・コード識別名若しくは文字データ・コードのエンコーダおよびデコーダがデータ作成元から提供されている前記エンコーダおよびデコーダの識別名および格納場所を入力する機能を属性データ・オブジェクトとして持つ項目の前記属性オブジェクト付加装置として計算機の主記憶装置上に配置することが可能な請求項７に記載のマルチ・ディメンション・メタ・データ管理システム。
【請求項１４】
スキャナー若しくはデジタル・カメラ若しくはＣＣＤカメラ若しくは公知の静止画像データ・フォーマット識別名を持つデータが格納されたファイル若しくは静止画像データ・フォーマットのエンコーダおよびデコーダがデータ作成元から提供されているデータが格納されたファイルを入力する機能を前記データ入力装置とすることが可能な請求項７、請求項８に記載のマルチ・ディメンション・メタ・データ管理システム。
【請求項１５】
デジタル・ムビー・カメラ若しくはＣＣＤカメラ若しくは公知の動画画像データ・フォーマット識別名を持つデータが格納されたファイル若しくは動画画像データ・フォーマットのエンコーダおよびデコーダがデータ作成元から提供されているデータが格納されたファイルを入力する機能を前記データ入力装置とすることが可能な請求項７ないし請求項９に記載のマルチ・ディメンション・メタ・データ管理システム。
【請求項１６】
デジタル・マイク若しくは公知の音声データ・フォーマット識別名を持つデータが格納されたファイル若しくは音声データ・フォーマットのエンコーダおよびデコーダがデータ作成元から提供されているデータが格納されたファイルを入力する機能を前記データ入力装置とすることが可能な請求項７ないし請求項１０に記載のマルチ・ディメンション・メタ・データ管理システム。
【請求項１７】
ＣＡＤ装置若しくは公知のＣＡＤデータ・フォーマット識別名を持つデータが格納されたファイル若しくはＣＡＤデータ・フォーマットのエンコーダおよびデコーダがデータ作成元から提供されているデータが格納されたファイルを入力する機能を前記データ入力装置とすることが可能な請求項７ないし請求項１１に記載のマルチ・ディメンション・メタ・データ管理システム。
【請求項１８】
タブレット装置若しくはマウス等のカーソル・ポインティング・デバイス若しくは公知のポリゴン・データ・フォーマット識別名を持つデータが格納されたファイル若しくはポリゴン・データ・フォーマットのエンコーダおよびデコーダがデータ作成元から提供されているデータが格納されたファイルを入力する機能を前記データ入力装置とすることが可能な請求項７ないし請求項１２に記載のマルチ・ディメンション・メタ・データ管理システム。
【請求項１９】
キーボード装置若しくは公知の文字コード識別名を持つデータが格納されたファイル若しくは文字コードのエンコーダおよびデコーダがデータ作成元から提供されているデータが格納されたファイルを入力する機能を前記データ入力装置とすることが可能な請求項５ないし請求項１３に記載のマルチ・ディメンション・メタ・データ管理システム。
【請求項２０】
前記請求項４に記載の前記ユニークな識別記号を持つ一個以上の頁属性オブジェクトを持つユニークな識別記号を持つ文書を、ネットワーク若しくは媒体を経由して別の計算機上にある前記請求項１から請求項１９に記載のマルチ・ディメンション・メタ・データ管理システムに送信若しくは前記別の計算機上にある前記請求項１から請求項１９に記載のマルチ・ディメンション・メタ・データ管理システムから受信することが可能な前記請求項１から請求項１９に記載のマルチ・ディメンション・メタ・データ管理システム。
【請求項２１】
前記ユニークな識別記号を持つ一個以上の層属性オブジェクトを持つ前記ユニークな識別記号を持つ一個以上の頁属性オブジェクトを持つユニークな識別記号を持つ文書を、ネットワーク若しくは媒体を経由して別の計算機上にある前記請求項１から請求項１９に記載のマルチ・ディメンション・メタ・データ管理システムに送信若しくは前記別の計算機上にある前記請求項１から請求項１９に記載のマルチ・ディメンション・メタ・データ管理システムから受信する際、特定の層属性オブジェクトのみを送受信できる前記請求項２０に記載のマルチ・ディメンション・メタ・データ管理システム。
【請求項２２】
前記請求項２１に記載のユニークな識別記号を持つ文書を受信した際、受け取った前記特定の層属性オブジェクトの上に自動的に新規層オブジェクトを付け加えることが可能な前記請求項２１に記載のマルチ・ディメンション・メタ・データ管理システム。
【請求項２３】
前記請求項２０に記載のユニークな識別記号を持つ文書を処理する際、前記特定の層属性オブジェクトのみを処理することが可能な前記請求項２１に記載のマルチ・ディメンション・メタ・データ管理システム。
【請求項２４】
印刷装置を前記データ・オブジェクト出力装置とする前記請求項１から請求項２３に記載のマルチ・ディメンション・メタ・データ管理システム。
【請求項２５】
非揮発性記憶装置を前記データ・オブジェクト出力装置とする前記請求項１から請求項２３に記載のマルチ・ディメンション・メタ・データ管理システム。
【請求項２６】
前記非揮発性記憶装置をデータ・オブジェクト入力装置とする前記請求項２５に記載のマルチ・ディメンション・メタ・データ管理システム。
【請求項２７】
前記項目属性オブジェクトに一個以上の管理属性を付加することが可能な請求項２６に記載のマルチ・ディメンション・メタ・データ管理システム。
【請求項２８】
前記項目属性オブジェクトに付加した一個以上の管理属性を任意規則に基づいて操作することにより前記任意規則に対応したデータ・オブジェクトの集合を得ることが可能な請求項２７に記載のマルチ・ディメンション・メタ・データ管理システム。
【発明の詳細な説明】
【技術分野】
【０００１】    本発明は、メタ・データのオブジェクト指向多次元管理システムに関する。
【背景技術】
【０００２】    動画、静止画、音声、ＣＡＤ（Ｃｏｍｐｕｔｅｒ  Ａｉｄｅｄ  Ｄｅｓｉｇｎ）、線画を表すポリゴン、各種フォント、サイズ、言語を持つテキスト等のデータが、所謂マルチメディア・データとして電子計算機上で使用されている。【０００３】    種々のマルチメディア・データを一つの媒体の上で一元化して取り扱おうとする製品が数多く排出されてきたことに枚挙の暇がない。米国マイクロソフト社のパワーポイントや米国アドビ社のアクロバット・リーダが代表的な製品である。（マルチメディア・データの一元化対応の外観イメージは特許文献１参照）【０００４】    代表的なマルチメディア・データとして、静止画、音声付動画、音声、ＣＡＤ、種々のフォントやサイズ、言語を表すテキストなどが挙げられる。静止画はＪＰＥＧ（Ｊｏｉｎｔ  Ｐｈｏｔｏｇｒａｐｈｉｃ  Ｅｘｐｅｒｔｓ  Ｇｒｏｕｐ）、動画はＡＶＩ（Ａｕｄｉｏ  Ｖｉｄｅｏ  Ｉｎｔｅｒｌｅａｖｅ）ないしＭＰＥＧ−４（Ｍｏｖｉｎｇ  Ｐｉｃｔｕｒｅ  Ｅｘｐｅｒｔｓ  Ｇｒｏｕｐ）、音声はＷＡＶＥやｍｐ３（ＭＰＥＧ−１Ａｕｄｉｏ  Ｌａｙｅｒ−３）、ＣＡＤはＤＸＦないしＤＷＧないしＪＷＣ、テキストはＵＮＩＣＯＤＥとデファクトのデータ形式が定まってきているとはいえ、まだまだ様々なデータ形式が存在しており、また、デファクトとなっているデータ形式においても年々バージョンが変わり互換性の取れないものも出現している。スプレッド・シートやワードプロセッサのデータも一種のマルチメディア・データと考えることも可能である。【０００５】    文書を表現形式として印刷指図用として１９９０年代初めに登場したＳＧＭＬ（Ｓｔａｎｄａｒｄ  Ｇｅｎｅｒａｌｉｚｅｄ  Ｍａｒｋｕｐ  Ｌａｎｇｕａｇｅ）の簡易体系版であるＸＭＬ（ｅＸｔｅｎｄｅｄ  Ｍａｒｋｕｐ  Ｌａｎｇｕａｇｅ）がデファクトとなりつつある。ＸＭＬは、文書構造を定義するタグの定義が自由に行われ、テキスト文書として多次元を表す記述も可能である。前記米国マイクロソフト社においてもワードプロセッサやスプレッド・シート等の主力ドキュメント製品は２００７年度リリースのものから文書ファイルは、ＸＭＬ文書として取り扱われている。タグに意味のある名称を付けたり、階層的にタグを設定できることから、データに属性情報を付加して、その属性情報によって後から検索できるオブジェクト指向データベースの実装手段の一つとして認知されている。（ＳＧＭＬについては非特許文献１、ＸＭＬについては非特許文献４参照）。【０００６】    最近の日本におけるブロードバンド・インターネットの急速な普及により、インターネット上でストレスなく交換できる情報の量は飛躍的に大きくなっているが、携帯電話に代表される無線電話によるモバイル・インターネットや、まだ通信インフラが未整備な一部の外国とのメッセージ交換では、メッセージ・データの大きさを小さくすることから開放されたわけではない。【０００７】    ＸＭＬの普及と共に、データベース一極集中型の業務システムに対し、コンピュータ化以前のメッセージ交換を核とする業務システムにシステム・アーキテクチャが変化してきている。コンピュータ化によるメッセージ交換にＸＭＬを使用する代表的なものとしては、前���米国マイクロソフト社が提唱するＷｅｂサービスやその実装手段であるＳＯＡＰ（Ｓｉｍｐｌｅ  Ｏｂｊｅｃｔ  Ａｃｃｅｓｓ  Ｐｒｏｔｏｃｏｌ）が挙げられ、最近流行のブログ（Ｗｅｂ  Ｌｏｇ）におけるＸＭＬ文書タグ定義であるＲＳＳ（Ｒｅａｌｌｙ  Ｓｉｍｐｌｅ  Ｓｙｎｄｉｃａｔｉｏｎ）が定義されブログのメッセージ交換に使用されている。（ＳＯＡＰについては非特許文献２参照、ＸＭＬとＲＳＳの関係については非特許文献４参照）。【０００８】    日本では西暦２０１１年からの地上デジタル放送への前面移行が決定されるなど地上デジタル放送対応の受信設備の普及が高まってきている。また通常の放送には使用しない狭い大域の電波を利用した携帯端末向けのテレビ放送である１セグ放送も行われている。これらのデジタル放送はブロードバンド・インターネットを利用した視聴者参加型の双方向通信を目指したものもあり、インターネットによるデータ伝送のためのマルチメディア情報の効果的な梱包方法が模索されている。（デジタル放送および１セグについては非特許文献３参照）。【０００９】
【特許文献１】特開２００２−２１５５４６号公報
【非特許文献１】ＳＧＭＬ入門  Ｍａｒｔｉｎｅ  Ｂｒｙａｎ  著  山崎  俊一  監訳  福島  誠  訳  アスキー出版  １９９１年  ＩＳＢＮ４−７５６１−００６９−４  １０頁−１８頁
【非特許文献２】ＳＯＡＰ／ＵＤＤＩ／ＷＳＤＬ  Ｗｅｂサービス技術  基礎と実践  徹底解説  株式会社ユニテック  Ｄｉｇｉｔａｌ  Ｅｘｐｒｅｓｓ  編集部  編著  技術評論者  ２００２年  ＩＳＢＮ４−７７４１−１６１６−５  ２８頁−１３８頁
【非特許文献３】改訂版  Ｈ．２６４／ＡＶＣ  教科書  大久保  榮  監修  角野  眞也、菊池  義浩、鈴木  輝彦  共編  インプレス  ２００６年  ＩＳＢＮ４−８４４３−２２０４−４  ３頁−４頁  ３１頁−３４頁
【非特許文献４】詳細  ＲＳＳ  水野  貴明  著  ディーアート  ２００６年  ＩＳＢＮ４−８８６４−８７４６−７  ４２頁−７０頁
【発明の開示】
【発明が解決しようとする課題】
【００１０】    静止画、動画、ＣＡＤ、音声、テキストと多種多様なデータがネットワーク上を伝送され個々の電子計算機上で処理できるようになっている。一方、それぞれのデータは固有のデータ・フォーマット（あるいはデータ形式）を持つため、それぞれのデータ・フォーマットのエンコーダおよびデコーダを備えた一元化装置が求められてきたが、各データの種類ごとにグローバル・レベルでのデファクト・スタンダードがほぼ決まり、米国マイクロソフト社のパワーポイントを搭載する電子計算機がマルチメディア・データの一元化装置としてデファクト・スタンダードとして残っているが、データ構造がマルチ・ディメンションすなわち多次元に対応していないため、追加の証左を時系列的に見ようとしても変更ログとしての文字データしか求めることができず視覚的にその変貌を確認することはできない。また米国アドビ社のＰＤＦファイル作成ソフトウェアを搭載した電子計算機もマルチメディア・データの一元化装置として存在するが紙媒体を最終出力先として意図しているためか、動画や音声の再生機能、ＣＡＤデータの任意のサイズ変更や特定階層表示等には対応していない。【００１１】    日本では有線環境では光ファイバーにより１００Ｍｂｐｓのブロードバンド・インターネット環境が一般的になってきているが、無線や携帯電話網をインターネットの伝送手段として使用しなければならない建設現場や事故現場とのマルチメディア・データのやり取りではデータの品質よりも速報性のための高可搬性が要求されることもある。現在までデファクト・スタンダードとして残っているマルチデータ・フォーマットでは極限まで可逆性のある圧縮がなされていることが一般的で、高可搬性を高めるための非可逆的なデータ劣化手段を取り込むことも必要とされている。【００１２】    建設現場での工事指図や工事進捗記録、航空機ないし車輌ないし船舶ないしその他機械設備等のメンテナンス現場と製造企業との視覚的視聴的メンテナンス情報のやり取りやその記録、営業局面における営業員と顧客との五感に訴えるやりとりとその記録など、マルチメディア・データによる視覚聴覚に訴える情報のやりとりに加え、その証左履歴の収集を利用者に負担をかけることなく行うことができる仕組みの提供が望まれている。【００１３】    ＸＭＬ文書を自分のＷｅｂサイトに掲載し、それに対する他者からのコメントや参照ＷｅｂサイトのＵＲＬ（Ｕｎｉｆｏｒｍ  Ｒｅｓｏｕｒｃｅ  Ｌｏｃａｔｏｒ）所謂トラックバックを追記していくＷｅｂ  Ｌｏｇ所謂ブログが世界的に流行しているが、未だに文書主体に静止画が数様付加できるというものであり、今後、音楽付きの動画や静止画、音声や手書き線画によるブログの実現が待たれている。【００１４】    そこで、本発明は、マルチメディア・データをオブジェクト化されたメタ・データとしての作成、保存、発信、受信、履歴記録を一元的に、専門的な知識やテクニックを使用することなしに簡易に行うことが可能である手段を提供していくことを目的とする。
【課題を解決するための手段】
【００１５】    上記の課題を解決するために、本発明においては、請求項１に示されるように、マルチメディア・データをユニークな識別記号である主体データに付加された属性メタ・データとして取り扱い、前記主体データには、他に一個以上の属性データを付加してオブジェクト化する。前記属性データには、前記主体データが所属する上位レベルの集合体のユニークな識別記号である主体データも含まれることが必要である。前記主体データが所属する上位レベルの集合体のユニークな識別記号である主体データは、前記マルチメディア・データを個々のアイテムとした場合に前記個々のアイテムを配置するシートであってもよい。また、前記属性データは、例えば、閲覧時の表示位置や表示サイズないし作成者若しくは作成年月日等のいずれかまたはすべてでもよい。【００１６】    前項に記載の上位レベルの集合体のユニークな識別記号である主体データの属性データとして、この主体データの上位レベルの集合体のユニークな識別記号である主体データが構成される。前記上位レベルの集合体のユニークな識別記号である主体データの属性データには、前記個々のアイテムを配置するシートが所属する上位レベルの集合体のユニークな識別記号である主体データが含まれていなければならない。前記上位レベルの集合体のユニークな識別記号である主体データはシートに対するページという概念であってもよい。【００１７】    前項に記載の上位レベルの集合体のユニークな識別記号である主体データの属性データとして記載の上位レベルの集合体のユニークな識別記号である主体データの属性データとして、この主体データの上位レベルの集合体のユニークな識別記号である主体データが構成される。前記上位レベルの集合体のユニークな識別記号である主体データの属性データには、前記個々のアイテムを配置するシートが所属する上位レベルの集合体のユニークな識別記号である主体データが含まれていなければならない。前記上位レベルの集合体のユニークな識別記号である主体データはページに対するドキュメントという概念であってもよい。【００１８】    したがって、一個以上の前記アイテムから構成される一個以上の前記シートから構成される一個以上の前記ページから構成される一個以上のドキュメントを作成、保存、発信、受信が可能となる。また、本件マルチ・ディメンション・メタ・データ管理システムを搭載しネットワーク若しくは媒体交換で情報交換が可能な二個以上の電子計算機間において互いに同一文書の追加シートのみを交換し受発信済のシートの改変を不可とすれば、履歴管理機能が可能となる。
【発明の効果】
【００１９】    車輌、航空機、船舶その他機械設備においてメンテナンス現場や事故現場から表現力豊かな動画や音声を、情報をより多く持ち、知識経験の豊富な人材が駐在するその機材の製造元等にメールないしＷｅｂ経由で送付し、適切な指示、部品や機材の準備を迅速に行えるようになり、かつそのやりとりの履歴が自動的に残っていき、特定の車輌や、航空機、船舶その他機械設備のメンテナンス記録簿が作成されていく。【００２０】    救急車等の移動体にいる患者の容態等の動画、静止画、音声を病院等の医療施設にいる医師に送信し的確な遠隔治療を容易にし、またその医療記録を残すことができ、他の医師への引継ぎを容易にし、医療過誤によるトラブル解決のための証左とすることができる。【００２１】    個体差の激しい中古の車輌、航空機、船舶その他の機械設備の売買において、遠隔地からその静止画像はもちろんのこと、稼働時の動画や音を伝えることができ、また買う側はみたいポイントを音声や手書文字で指示することができ、より現実感のある取引が可能となる。【００２２】    建設中の建物や土木施設において、後々隠れてしまう部分の動画や音声をも記録して他の資料と一元管理することが可能となる。また、山間部の土木施設の建設、メンテナンスにおいてもマルチメディア・データをコミュニケーションのツールとして活用することが容易に可能となる。【００２３】    それぞれの項目に対応するメタ・データの主体はユニークな識別記号であるため、その主体に付加されている属性情報からある特定の情報だけを取出して、統計手法にかけることも可能で、マーケティング調査時のアンケートのデータ収集およびその分析のための抽出が容易となる。
【発明を実施するための最良の形態】
【００２４】    以下、本発明を実施するための最良の形態について、図を用いて説明する。なお、本発明は、これら実施の形態に何ら限定されるものではなく、その要旨を逸脱しない範囲において、種々たる態様で実施し得る。【００２５】（発明の概念）
図１は、請求項１に基づく本発明の概念を示す。
データ入力装置１１０、
データ・フォーマット変換装置１２０、
データ・オブジェクト化装置１３０、
属性オブジェクト付加装置１４０、
データ・オブジェクト展開装置１５０、
データ・オブジェクト出力装置１６０が、
本発明に係わるマルチ・ディメンション・メタ・データ管理システムの構成要素である。
フォーマット変換対象データ入力部１２１、
データ・フォーマット変換諸元入力部１２２、
データ・フォーマット変換制御部１２３、
データ・フォーマット変換実行部１２４、
データ・フォーマット変換済データ出力部１２５は、
前記マルチ・ディメンション・メタ・データ管理システムの構成要素の一部であるデータ・フォーマット変換装置１２０の構成要素である。
識別記号発生部１３１、
データ格納場所登録部１３２、
属性オブジェクト識別記号登録部１３３は、
前記マルチ・ディメンション・メタ・データ管理システムの構成要素の一部であるデータ・オブジェクト化装置１３０の構成要素である。
個別データ・オブジェクト展開部１５１、
データ・オブジェクト関係展開部１５２は、
前記マルチ・ディメンション・メタ・データ管理システムの構成要素の一部であるデータ・オブジェクト展開装置１５０の構成要素である。
外部周辺装置特定部１６１、
出力データ・フォーマット変換部１６２、
出力データ送出部１６３は、
前記マルチ・ディメンション・メタ・データ管理システムの構成要素の一部であるデータ・オブジェクト出力装置の構成要素である。【００２６】    データ入力装置１１０は、ネットワーク上の他の電子計算機からデータをインポートしてもよい。【００２７】    データ入力装置１１０は、ネットワーク上の電子計算機若しくはネットワークに接続されていない電子計算機がフロッピー・ディスク若しくはＣＤ若しくはＤＶＤ若しくはメモリ・ディスク等の取外し可能な記憶媒体に作成したデータを前記記憶媒体からインポートしてもよい。【００２８】    データ入力装置１１０は、前記データ入力装置１１０が実装されている電子計算機上に接続されたキーボートやマウス等の入力機器から直接入力されたデータをインポートしてもよい。【００２９】    データ入力装置１１０から入力されたデータは、データ・フォーマット変換装置１２０により可逆変換である圧縮変換、若しくは非可逆変換である劣化変換が行われてデータ・オブジェクト化装置１３０に渡される。また、同時にデータ入力装置１１０から入力されたデータはそのオリジナル性を保持したままデータ・オブジェクト化装置１３０に送出される。【００３０】    データ・フォーマット変換装置１２０では、データ入力装置１１０から渡されたデータをフォーマット変換対象データ入力部１２１で受け取り、データ・フォーマット変換緒元入力部１２２でどのように変換するのかに関する指示情報を入力し、前記指示情報に基づいてデータ・フォーマット変換実行部１２４が、データ・フォーマット変換制御部１２３のコントロールのもとにデータ・フォーマット変換を実行する。変換されたデータは、データ・フォーマット変換済データ出力部１２５によってデータ・オブジェクト化装置１３０に送出される。【００３１】    データ・オブジェクト化装置１３０では、データ入力装置１１０およびデータ・フォーマット変換装置１２０から受領したデータに識別記号発生部１３１で発生させたユニークな主体データ識別記号を付加し、主体データ識別記号登録部１３２に登録し、属性オブジェクト識別記号登録部１３３の登録件数カウントを初期化する。【００３２】    属性オブジェクト付加装置１４０は、データ・オブジェクト化装置１３０の主体データ識別記号登録部１３２と属性オブジェクト記号登録部１３３を継承し、主体データに付加される属性オブジェクトの主体データ識別記号を登録する。このとき、前記属性オブジェクト識別記号登録部１３３の登録件数カウントは１加算される。【００３３】    データ・オブジェクト展開装置１５０では、属性オブジェクト付加装置によって作られた個別のデータ・オブジェクトを個別データ・オブジェクト展開部１５１によって当該電子計算機上の主記憶装置に展開し、データ・オブジェクト関係展開部１５２によって個別に展開されたデータ・オブジェクト間の関係を展開して、データ・オブジェクト出力装置１６０に送出する。【００３４】    データ・オブジェクト出力装置１６０では、データ・オブジェクト展開装置１５０から受領したデータ・オブジェクトを、外部周辺装置特定部１６１によって出力先を選択し、その出力先に合わせて出力データ・フォーマット変換部１６２によって適切なデータ・フォーマットに変換する。前記出力データ・フォーマット変換部１６２によって適切に変換されたデータは、出力データ送出部１６３によって出力される。出力先はＣＲＴ若しくは液晶パネル等表示機器であってもよい。また、請求項２４に示されるように出力先はプリンタやプロッタ当の印刷機器であってもよい。さらに、請求項２５で示されるように出力先は、不揮発性記憶装置であるハードディスク記憶装置やＣＤ、ＤＶＤ、フロッピーディスク、メモリ・スティック等であってもよい。【００３５】    図２に示されるように、属性オブジェクト付加装置２１０には一個以上の他のデータ・オブジェクトの属性オブジェクト付加装置２２０の主体データの識別記号が記載される。他のデータ・オブジェクトは、当該データ・オブジェクトそれ自体であっても良いことも属性オブジェクト付加装置２２０の属性オブジェクト２に対する属性オブジェクト付加装置で示している。【００３６】    図３に示されるように、属性オブジェクト付加装置３１０には一個以上の他のデータ・オブジェクトの属性オブジェクト付加装置３２０の主体データの識別記号が記載される。他のデータ・オブジェクトは、当該データ・オブジェクトを属性オブジェクトとして持つデータ・オブジェクトであっても良いことも属性オブジェクト付加装置３１０の属性オブジェクト１に対する属性オブジェクト付加装置で示している。【００３７】    請求項４に記載されているように、属性オブジェクト付加装置４１０が、文書データ・オブジェクトを主体データ・オブジェクトとし、一個以上の頁属性オブジェクトを所属させている様を、図４に示す。【００３８】    請求項５に記載されているように、属性オブジェクト付加装置５１０が、頁データ・オブジェクトを主体データ・オブジェクトとし、一個以上の層属性オブジェクトを所属させている様を、図５に示す。【００３９】    請求項６に記載されているように、属性オブジェクト付加装置６１０が、層データ・オブジェクトを主体データ・オブジェクトとし、一個以上の項目属性オブジェクトを所属させている様を、図６に示す。【００４０】    請求項７に記載されているように、属性オブジェクト付加装置７１０が、項目データ・オブジェクトを主体データ・オブジェクトとし、一個以上の項目属性を所属させている様を、図７に示す。【００４１】    請求項２０に記載されているように、ユニークな識別番号を持つ文書をネットワーク若しくはメモリ・スティックやＣＤ等の媒体を経由して別の計算機上にある請求項１から１９に記載のマルチ・ディメンション・メタ・データ管理システムと送受信している様を図８、図９、図１０に示す。【００４２】    請求項２２に記載されているように、請求項２１に記載されたユニークな識別番号を持つ文書を受信した側は、受信した際、新規のシートが当該文書の各頁すべてに付加される様を図８、図９、図１０に示す。【００４３】    請求項２３に記載されているように、請求項２１に記載されたユニークな識別番号を持つ文書の全頁にわたり、特定のシートのみを抽出し送信することができる様を図９、図１０に示す。
【実施例】
【００４４】    請求項１から２８に記載のマルチ・ディメンション・メタ・データ管理システムはインターネット・メーラーと連動されて使用されてもよい。【００４５】    請求項１から２８に記載のマルチ・ディメンション・メタ・データ管理システムはインターネット・メーラーに組み込まれて使用されてもよい。【００４６】    請求項１から２８に記載のマルチ・ディメンション・メタ・データ管理システムは文書を受信、保存、削除、送信等の操作が行うことが可能なサーバを経由して文書交換を行ってもよい。【００４７】    請求項１から２８に記載のマルチ・ディメンション・メタ・データ管理システムは、各使用者の端末としての電子計算機上で単独で使用されてもよい。【００４８】    請求項１から２８に記載のマルチ・ディメンション・メタ・データ管理システムは、各使用者の端末としての電子計算機上にインストールし、単独で使用されてもよい。【００４９】    請求項１から２８に記載のマルチ・ディメンション・メタ・データ管理システムは、各使用者がサーバとして共有して使用する電子計算機上にインストールし、共有して使用されてもよい。
【図面の簡単な説明】
【００５０】
【図１】全体構成図  本発明の請求項１に基づく全体構成図
【図２】属性オブジェクト付加装置概念図１  本発明の請求項１に基づく、属性オブジェクト付加装置における属性オブジェクトと別のデータ・オブジェクト化装置との関係および、本発明の請求項２に基づく、属性オブジェクト付加装置の属性オブジェクトが再帰的に当該属性オブジェクト付加装置それ自体であるときの関係を示す概念図
【図３】属性オブジェクト付加装置概念図２  本発明の請求項１に基づく属性オブジェクト付加装置の属性オブジェクトと別の属性オブジェクト付加装置との関係および、本発明の請求項３に基づく、属性オブジェクト付加装置の属性オブジェクトに記載の別の属性オブジェクト付加装置の属性オブジェクトが再帰的に当該属性オブジェクト付加装置であるときの関係を示す概念図
【図４】属性オブジェクト付加装置概念図３  本発明の請求項４に基づく、データ・オブジェクト化装置の属性オブジェクトと別の属性オブジェクト付加装置との関係に、文書概念と頁概念を適用した場合の属性オブジェクト付加装置を示す概念図
【図５】属性オブジェクト付加装置概念図４  本発明の請求項５に基づく、属性オブジェクト付加装置の属性オブジェクトと別の属性オブジェクト付加装置との関係に、頁概念と層概念を適用した場合の属性オブジェクト付加装置を示す概念図
【図６】属性オブジェクト付加装置概念図５  本発明の請求項６に基づく、属性オブジェクト付加装置の属性オブジェクトと別の属性オブジェクト付加装置との関係に、層概念と項目概念を適用した場合の属性オブジェクト付加装置を示す概念図
【図７】属性オブジェクト付加装置概念図６  本発明の請求項７に基づく、属性オブジェクト付加装置の属性オブジェクトと別の属性オブジェクト付加装置との関係に、項目概念と項目の属性概念を適用した場合の属性オブジェクト付加装置を示す概念図
【図８】文書交換終了時の頁の状態の模式図１  本発明の請求項２０、請求項２１、請求項２２に基づく、一回目の文書交換時における頁の模式図
【図９】文書交換終了時の頁の状態の模式図２  本発明の請求項２０、請求項２１、請求項２２に基づく、二回目の文書交換時における頁の模式図
【図１０】文書交換終了時の頁の状態の模式図３  本発明の請求項２０、請求項２１、請求項２２に基づく、三回目の文書交換時における頁の模式図
【図１】
2008077617.tif 000003
【図２】
2008077617.tif 000004
【図３】
2008077617.tif 000005
【図４】
2008077617.tif 000006
【図５】
2008077617.tif 000007
【図６】
2008077617.tif 000008
【図７】
2008077617.tif 000009
【図８】
2008077617.tif 000010
【図９】
2008077617.tif 000011
【図１０】
2008077617.tif 000012